(57)【特許請求の範囲】
【請求項１】
石膏型を設置する下型と、この下型の上型との分割面上をスライドするように設けられた開口部形成用分割金型を備えて、かつ水平方向に開閉可能に配設された分割された上型とで構成し、前記分割された上型に設けた湯口から金型内部に溶融金属を注入して鋳造を行う前に、石膏型の表面にエアーを吹き付ける金型内部の残留物除去方法であって、
前記分割された上型の型締め後に、前記上型に少なくとも一箇所以上に設けたエアーノズルから前記石膏型の表面にエアーを吹き付ける際、前記上型に設けた開口部形成用分割金型を開放する方向に作動させて残留物の排出経路を形成し、前記金型内の残留物を排出経路を介して金型外部に排出することを特徴とする金型内部の残留物除去方法。
【請求項２】
金型製品を製造するための石膏型を着脱可能に設置する下型と、この下型上に水平方向に開閉可能に配設された分割された上型と、この上型に設けられた前記石膏型の表面にエアーを吹き付ける少なくとも一つ以上のエアー噴出ノズルとで構成し、前記上型に、金型内部に溶融金属を注入する湯道を形成すると共に、金型内部に連通する金型内の残留物の排出経路を形成するための開口部形成用分割金型を開閉可能に設けたことを特徴とする金型内部の残留物除去方法を実施するための鋳造用金型。
【請求項３】
前記開口部形成用分割金型の可動方向に対して抜き角度を設けた請求項２に記載の金型内部の残留物除去方法を実施するための鋳造用金型。
【発明の詳細な説明】
【技術分野】
【０００１】
この発明は、金型内部の残留物除去方法及びそれに使用する鋳造用金型に係わり、更に詳しくは例えば重力鋳造において使用する金型内部の残留物除去方法及びそれに使用する鋳造用金型に関するものである。
【背景技術】
【０００２】
従来、石膏型重力鋳造法の一つとして、例えば、図８及び図９に示すように石膏型１を設置する下型２と、この下型２上に水平方向に開閉可能に配設された分割された上型３ａ，３ｂとで構成し、前記分割された上型に設けた湯道口４ａ，４ｂから石膏型１と、下型２，上型３ａ，３ｂの金型空間部Ｘ内に溶融金属を注入して鋳造を行なう重力鋳造法が知られている（例えば、特許文献１参照）。
【０００３】
ところで、上記のような重力鋳造法において、分割された上型を開閉操作しながら鋳造作業を繰返していると、上型の分割面に付着していた付着物や金型内塗型剤、或いは耐火物等が剥がれて石膏型表面に落下し、このような落下不純物を除去せずに鋳造作業を行った場合、鋳造製品の表面に欠肉で凹んだ形状になり製品不良となる問題があった。
【０００４】
そこで、上型３ａ，３ｂを型締め後、上型３ａ，３ｂの押し湯５の部分に設けたエアーノズル６ａ，６ｂから石膏型１の表面にエアーＱを吹き付けて石膏型１の表面に落下した落下不純物を吹き飛ばす方法が考えられるが、上型３ａ，３ｂを型締めした状態にしてあるため、吹き飛ばした落下不純物が石膏型１の表面に再び落下して石膏型表面を綺麗にすることが出来ず、結果として製品不良を有効に防止することが出来なかった。
【特許文献１】特開平７−２９０２２７号公報
【発明の開示】
【発明が解決しようとする課題】
【０００５】
この発明はかかる従来の問題点に着目し、石膏型表面に落下している落下不純物を吹き飛ばすと共に、金型外部に排出させることにより、鋳造製品の製品不良を有効に防止することが出来る金型内部の残留物除去方法及びそれに使用する鋳造用金型を提供することを目的とするものである。
【課題を解決するための手段】
【０００６】
上記目的を達成するため本発明の金型内部の残留物除去方法は、石膏型を設置する下型と、この下型の上型との分割面上をスライドするように設けられた開口部形成用分割金型を備えて、かつ水平方向に開閉可能に配設された分割された上型とで構成し、前記分割された上型に設けた湯口から金型内部に溶融金属を注入して鋳造を行う前に、石膏型の表面にエアーを吹き付ける金型内部の残留物除去方法であって、前記分割された上型の型締め後に、前記上型に少なくとも一箇所以上に設けたエアーノズルから前記石膏型の表面にエアーを吹き付ける際、前記上型に設けた開口部形成用分割金型を開放する方向に作動させて残留物の排出経路を形成し、前記金型内の残留物を排出経路を介して金型外部に排出することを要旨とするものである。  
【０００７】
また、本発明の金型内部の残留物除去方法を実施するための鋳造用金型は、金型製品を製造するための石膏型を着脱可能に設置する下型と、この下型上に水平方向に開閉可能に配設された分割された上型と、この上型に設けられた前記石膏型の表面にエアーを吹き付ける少なくとも一つ以上のエアー噴出ノズルとで構成し、前記上型に、金型内部に溶融金属を注入する湯道を形成すると共に、金型内部に連通する金型内の残留物の排出経路を形成するための開口部形成用分割金型を開閉可能に設けたことを要旨とするものである。
【０００８】
ここで、前記開口部形成用分割金型の可動方向に対して抜き角度を設けることもできる。
【００１０】
このように構成することで、石膏型表面に落下している落下不純物を吹き飛ばすと共に、金型外部に排出させることにより、鋳造製品の製品不良を有効に防止することが出来るものである。
【発明の効果】
【００１１】
この発明は上記のように構成したので、石膏型表面に落下している落下不純物を吹き飛ばすと共に、金型外部に効率良く排出させることにより、これにより鋳造製品の表面の凹んだ形状等の製品不良を有効に防止することが出来る効果がある。
【発明を実施するための最良の形態】
【００１２】
以下、添付図面に基づき、この発明の実施形態を説明する。
なお、従来例と同一構成要素は、同一符号を付して説明は省略する。
【００１３】
図１及び図２は、この発明の金型内部の残留物除去方法の参考形態を実施するための鋳造用金型の縦断正面図と、縦断側面図とを示し、２は石膏型１を設置する下型、３ａ，３ｂは下型２上に水平方向に開閉可能に配設された分割された上型、４ａ，４ｂは湯道、５は押し湯、６ａ，６ｂはエアーノズルを示し、この参考形態では、前記分割された上型３ａ，３ｂの型締め開始時、または型締め中に、前記石膏型１の表面にエアーノズル６ａ，６ｂからエアーＱを吹き付けて金型内の残留物を金型外部に排出させるようにしたものである。なお前記分割された上型３ａ，３ｂの分割面３ｘの下方に、石膏型１の製品面中央が位置するように配置するものが、製品面に落下不純物が落下し易く、この発明を適用するのが好ましい。
【００１４】
また、図３〜図５は、この発明の金型内部の残留物除去方法の第１実施形態を実施するための上型３ａ，３ｂの開口時の縦断正面図と、型締め時の鋳造用金型の縦断正面図と、縦断側面図とを示し、この実施形態では、前記上型３ａ，３ｂに、金型内部に連通する排気通路７ａ，７ｂを形成するための開口部形成用分割金型８ａ，８ｂを開閉可能に設けてある。
【００１５】
この開口部形成用分割金型８ａ，８ｂは、図３に示すように石膏型近傍の上型に設けることが好ましく、またシリンダー９ａ，９ｂを介して開閉する上型開閉スライド板１０ａ，１０ｂにシリンダー１１ａ，１１ｂを介して開閉可能に構成したり、また図４及び図５に示すように、上型３ａ，３ｂに形成した排気通路７ａ，７ｂに、図示しないシリンダー等により開口部形成用分割金型８ａ，８ｂを開閉可能に設け構成することも可能である。
【００１６】
即ち、この発明の実施形態では、上型３ａ，３ｂの型締め時、または型締め前に、開口部形成用分割金型８ａ，８ｂを開方向に作動させて排気通路７ａ，７ｂを形成しておき、この状態で、石膏型１の表面にエアーノズル６ａ，６ｂからエアーＱを吹き付けて金型内の残留物を金型外部に排出させるようにしたものである。
【００１７】
なお、前記開口部形成用分割金型８ａ，８ｂは、可動方向（矢印方向）に対して抜け易くなるように抜き角度αを設けることが好ましく、この抜き角度αとしては、０．５°〜３０°に設定することが好ましい。
【００１８】
また、図６及び図７は、この発明の金型内部の残留物除去方法の第２実施形態を実施するための型締め時の鋳造用金型の縦断正面図と、縦断側面図とを示し、この実施形態では、開口部形成用分割金型１２ａ，１２ｂとして、分割された上型３ａ，３ｂの湯道４ａ，４ｂ上に設けることで排気通路７ａ，７ｂを形成し、この状態で、石膏型１の表面にエアーノズル６ａ，６ｂからエアーＱを吹き付けて金型内の残留物を金型外部に排出させるようにしたものである。
【００１９】
以上のような方法により、金型内部の残留物を除去することにより、石膏型１の表面に落下している落下不純物を吹き飛ばすと共に、金型外部に効率良く排出させることにより、これにより鋳造製品の表面の凹んだ形状等の製品不良を有効に防止することが出来る。
【図面の簡単な説明】
【００２０】
【図１】この発明の金型内部の残留物除去方法の参考形態を実施するための鋳造用金型の縦断正面図である。
【図２】図１のＢ−Ｂ矢視縦断側面図である。
【図３】この発明の金型内部の残留物除去方法を実施するための鋳造用金型の第１実施形態の縦断正面図である。
【図４】この発明の金型内部の残留物除去方法の第１実施形態を実施するための鋳造用金型の縦断正面図である。
【図５】図４のＣ−Ｃ矢視縦断側面図である。
【図６】この発明の金型内部の残留物除去方法の第２実施形態を実施するための鋳造用金型の縦断正面図である。
【図７】図６のＤ−Ｄ矢視縦断側面図である。
【図８】従来の金型内部の残留物除去方法を実施するための鋳造用金型の縦断正面図である。
【図９】図８のＡ−Ａ矢視縦断側面図である。
【符号の説明】
【００２１】
１  石膏型                        ２  下型
３ａ，３ｂ  上型          ４ａ，４ｂ  湯道口
５  押し湯                ６ａ，６ｂ  エアーノズル
Ｑ  エアー                      ３ｘ  分割面
７ａ，７ｂ  排気通路      ８ａ，８ｂ  開口部形成用分割金型
９ａ，９ｂ  シリンダー
１０ａ，１０ｂ  上型開閉スライド板
１１ａ，１１ｂ  シリンダー
１２ａ，１２ｂ  開口部形成用分割金型
α  抜き角度
【図１】
0004539569.tif 000002
【図２】
0004539569.tif 000003
【図３】
0004539569.tif 000004
【図４】
0004539569.tif 000005
【図５】
0004539569.tif 000006
【図６】
0004539569.tif 000007
【図７】
0004539569.tif 000008
【図８】
0004539569.tif 000009
【図９】
0004539569.tif 000010